(57)【要約】【課題】容易に、選択した信号を調整することができる。【解決手段】モニタセレクタ２１からチャンネルＰの番号が供給され、ＡＶリモートコントローラＣＰ３１Ａが操作され、調整条件が設定されると、ＡＶリモートコントローラ３１は、受信したチャンネルＰの番号に対応するＡＶ調整装置３３の制御データが記憶される、ＰＣＮＳ制御装置３２のメモリ領域のアドレス、ＡＶリモートコントローラ３１−１のID、および調整条件からなる制御信号を生成し、ＰＣＮＳ制御装置３２に出力する。ＰＣＮＳ制御装置３２は、その制御信号を受信し、設定されたアドレスに記憶するとともに、ＰＣＮＳバス３０に出力する。ＡＶ調整装置３３−ｉは、その制御信号に基づいて、チャンネルＰの番組を調整する。【選択図】図２
2008278527.tif 000002
【特許請求の範囲】
【請求項１】
調整条件に基づいて、複数の信号の所定の特性を調整する調整手段と、
前記調整手段により調整される複数の前記信号のうち所定のものを選択するための選択情報を出力する出力手段と、
前記出力手段により出力された前記選択情報に対応するアドレスと、前記調整手段の調整条件を生成する生成手段と、
前記生成手段により生成された前記アドレスに、前記調整条件を記憶するとともに、前記調整条件を前記調整手段に供給する供給手段と
を備えることを特徴とする信号調整装置。
【請求項２】
調整条件に基づいて、複数の信号の所定の特性を調整する調整ステップと、
前記調整ステップで調整される複数の前記信号のうち所定のものを選択するための選択情報を出力する出力ステップと、
前記出力ステップで出力された前記選択情報に対応するアドレスと、前記調整ステップでの調整条件を生成する生成ステップと、
前記生成ステップで生成された前記アドレスに、前記調整条件を記憶するとともに、前記調整条件を供給する供給ステップと
を含むことを特徴とする信号調整方法。
【発明の詳細な説明】
【技術分野】
【０００１】
本発明は、信号調整装置および信号調整方法に関し、特に、効率よく、信号を調整することができるようにした信号調整装置および信号調整方法に関する。
【背景技術】
【０００２】
図１７は、従来のデジタル放送システムの構成例を表している。放送番組編成システム１には、番組供給業者から供給される番組素材などの放送時間を管理するための番組編成表が登録されており、放送番組編成システム１は、この番組編成表に従って、顧客管理システム２乃至変調回路１１を制御する。
【０００３】
顧客管理システム２は、顧客の登録情報や料金徴収情報等の顧客管理に関する情報を管理し、顧客視聴許可システム３に供給するための視聴者の契約に関する情報や番組を視聴できないようにするためのスクランブル設定に関する情報などを生成する。
【０００４】
顧客視聴許可システム３は、顧客管理システム２からの情報を暗号化し、マルチプレクサシステム９において多重化されるパケットデータを生成する。
【０００５】
EPGシステム４は、例えば、放送時間や番組内容など、番組を紹介するデータ（以下、EPGデータと称する）を生成し、マルチプレクサシステム９に供給する。
【０００６】
番組素材提供システム５は、番組供給業者から供給される番組のビデオ信号およびオーディオ信号に対し、必要に応じて調整を施して、サーバシステム６に出力する。
【０００７】
サーバシステム６は、アレイ状に接続されたディスクドライブや制御用のコンピュータなどから構成されており、番組素材提供システム５から供給された番組を保持するとともに、放送番組編成システム１の番組編成表に基づいて、各チャンネルのプログラムを生成し、ルーティングシステム７に供給する。
【０００８】
ルーティングシステム７は、放送番組編成システム１からの番組編成表に基づいて、サーバシステム６から供給された複数のプログラムが適切なチャンネルから出力されるようにルーティングする。
【０００９】
エンコーディングシステム８は、コントロールユニット１０により制御され、ルーティングシステム７から供給されるプログラム（番組）のビデオ信号およびオーディオ信号を、例えば、MPEG２規格に準拠して、エンコードし、マルチプレクサシステム９に出力する。
【００１０】
コントロールユニット１０は、LAN１２を介して、顧客視聴許可システム３により生成されたパケットデータを取得し、マルチプレクサシステム９に供給する。そこで、マルチプレクサシステム９は、コントロールユニット１０により制御され、コントロールユニット１０からの情報を、EPGシステム４からのEPGデータ、およびエンコーディングシステム８から供給される信号とともに多重化し、変調回路１１に出力する。
【００１１】
変調回路１１は、マルチプレクサシステム９からの多重化信号を変調し、図示せぬ衛星に伝送する。
【００１２】
図１８は、番組素材提供システム５の構成例を表している。Ｎ個の調整装置１５−１乃至１５−Ｎ（以下、これらを個々に区別する必要がない場合、単に、調整装置１５と記述する。他の装置についても同様である）には、番組供給業者からの番組のビデオ信号またはオーディオ信号が入力される。調整装置１５−１は、例えば、ＲＳ−４２２Ｃをインタフェースとして９Ｐケーブルで接続されている、遠隔制御装置１６−１により制御され、入力されるビデオ信号またはオーディオ信号を調整し、ルータ１７に出力する。
【００１３】
調整装置１５−２乃至調整装置１５−Ｎも、調整装置１５−１と同様に、９Ｐケーブルで接続されている遠隔制御装置１６−２乃至１６−Ｎにより制御され、入力されるビデオ信号またはオーディオ信号をそれぞれ調整し、ルータ１７に出力する。
【００１４】
遠隔制御装置１６は、調整項目とその調整値（以下、これらをまとめて、調整条件と称する）を設定することができる操作部（図示せず）を有しており、ユーザによりその操作部が操作され、設定された調整条件に基づいて、調整装置１５を遠隔制御する。
【００１５】
ルータ１７は、モニタ選択部１８により選択されたチャンネルの番組を調整する調整装置１５−ｉ（ｉ＝１，２，３，・・・，Ｎ）からのビデオ信号またはオーディオ信号が、モニタリング部１９に供給されるようにルーティング処理を実行する。
【００１６】
モニタリング部１９は、モニタやスピーカを有しており、調整装置１５−ｉからのビデオ信号を、モニタに表示させ、オーディオ信号を、スピーカから出力させる。
【００１７】
このようにして、ユーザは、調整装置１５−ｉを、それに接続される遠隔制御装置１６−ｉの操作部を操作して遠隔操作し、選択したチャンネルの番組のビデオ信号またはオーディオ信号を調整する。
【００１８】
この番組素材提供システム５において、例えば、多チャンネル放送のように、チャンネル数が１００を超えるような場合、調整装置１５に、１対１の割合で設けられる遠隔制御装置１６の数は膨大となり、装置が大型化するばかりでなく、例えば、それらを、ユーザ（オペレータ）が、１つ１つ操作して、調整装置１５における調整条件を設定することは、多大な手間を要し、管理が困難になる課題があった。
【００１９】
そこで、例えば、１つの遠隔制御装置１６−ｉを操作して、任意の調整装置１５に対し、調整条件を設定できるようにすることが想定される。
【発明の開示】
【発明が解決しようとする課題】
【００２０】
しかしながら、多くのチャンネルの番組を調整することができる遠隔制御装置１６は、通常、その構成が複雑であり、また、拡張することが困難である課題があった。
【００２１】
本発明はこのような状況に鑑みてなされたものであり、簡単な構成で、かつ、容易に拡張できるようにするものである。
【課題を解決するための手段】
【００２２】
本発明の一側面の信号調整装置は、調整条件に基づいて、複数の信号の所定の特性を調整する調整手段と、調整手段により調整される複数の信号のうち所定のものを選択するための選択情報を出力する出力手段と、出力手段により出力された選択情報に対応するアドレスと、調整手段の調整条件を生成する生成手段と、生成手段により生成されたアドレスに、調整条件を記憶するとともに、調整条件を調整手段に供給する供給手段とを備えることを特徴とする。
【００２３】
本発明の一側面の信号調整方法は、調整条件に基づいて、複数の信号の所定の特性を調整する調整ステップと、調整ステップで調整される複数の信号のうち所定のものを選択するための選択情報を出力する出力ステップと、出力ステップで出力された選択情報に対応するアドレスと、調整ステップでの調整条件を生成する生成ステップと、生成ステップで生成されたアドレスに、調整条件を記憶するとともに、調整条件を供給する供給ステップとを含むことを特徴とする。
【００２４】
本発明の一側面においては、調整条件に基づいて、複数の信号の所定の特性が調整され、調整される複数の信号のうち所定のものを選択するための選択情報が出力され、出力された選択情報に対応するアドレスと、調整条件が生成され、生成されたアドレスに、調整条件が記憶されるとともに、調整条件が供給される。
【発明の効果】
【００２５】
本発明の一側面によれば、信号の選択情報に基づいて、アドレスと調整条件を生成し、そのアドレスに調整条件を記憶するようにしたので、簡単な構成で、かつ、増設が容易なシステムを実現することができる。
【発明を実施するための最良の形態】
【００２６】
図１は、本発明を適用したデジタル放送システムの構成例を表している。なお、図中、図１７における場合と対応する部分については、同一の符号を付してあり、その説明は、省略する。この例においては、番組素材提供システム５に代えて、番組素材提供システム１００が設けられている。
【００２７】
図２は、番組素材提供システム１００の構成例を表している。この例においては、ルータバス２０およびＰＣＮＳ(Processor Control Network System)バス３０の２つのバスが存在し、ルータバス２０には、Ｎ個のモニタセレクタ２１−１乃至２１−Ｎ、ビデオルータ２２、オーディオルータ２３、モニタセレクタ制御装置２４、およびアウトプットコントローラ２５が接続されている。また、ＰＣＮＳバス３０には、Ｎ個のＡＶリモートコントローラ３１−１乃至３１−Ｎ、ＰＣＮＳ制御装置３２、Ｌ個のＡＶ調整装置３３−１乃至３３−Ｌが接続されている。
【００２８】
モニタセレクタ２１−１は、モニタセレクタコントロールパネル（以下、モニタセレクタＣＰと略称する）２１Ａ−１がユーザにより操作されて、選択されたチャンネルの番組の映像を、モニタ２６−１に表示させ、またその音声をスピーカ２７−１から出力させるための制御信号を生成し、ルータバス２０を介して、モニタセレクタ制御装置２４に出力するようになされている。モニタセレクタＣＰ２１Ａ−１は、図３に示すように、チャンネルを選択する場合に操作されるチャンネルボタンＭCの他、このモニタセレクタＣＰ２１Ａ−１を使用不能にするためのロックボタンＭL、選択されたチャンネルに対する調整を不能にするためのプロテクトボタンＭT、およびエラー表示部ＤEから構成される。
【００２９】
モニタセレクタ２１−１はまた、ＡＶリモートコントローラ３１−１と、ＲＳ−４２２Ｃをインタフェースとして、９Ｐケーブル２００−１で接続されており、選択されたチャンネルの番号をＡＶリモートコントローラ３１−１に供給する。
【００３０】
モニタセレクタ２１−２乃至２１−Ｎも、モニタセレクタ２１−１と同様の構成とされているので、その説明は省略する。
【００３１】
モニタセレクタ制御装置２４は、モニタセレクタ２１から出力された制御信号を、内蔵するメモリに記憶するとともに、それを読み出し、ルータバス２０を介して、ビデオルータ２２およびオーディオルータ２３に出力するようになされている。
【００３２】
ビデオルータ２２は、ＡＶ調整装置３３およびモニタ２６と直接接続されており、モニタセレクタ制御装置２４からの制御信号により指定されたチャンネルに対応するＡＶ調整装置３３からのビデオ信号が、同様に指定されたモニタ２６に供給されるようにルーティング処理を実行するようになされている。これにより、ユーザは、選択したチャンネルの番組の映像をモニタリングすることができる。
【００３３】
オーディオルータ２３は、ＡＶ調整装置３３およびスピーカ２７と直接接続されており、モニタセレクタ制御装置２４からの制御信号により指定されたチャンネルに対応するＡＶ調整装置３３からのオーディオ信号が、指定されたスピーカ２７に供給されるようにルーティング処理を実行するようになされている。これにより、ユーザは、選択したチャンネルの番組の音声をモニタリングすることができる。
【００３４】
ビデオルータ２２およびオーディオルータ２３からのビデオ信号およびオーディオ信号は、サーバシステム６にも出力されるが、これは、ルータバス２０に接続されているアウトプットコントローラ２５により制御される。
【００３５】
ＡＶリモートコントローラ３１−１は、ＰＣＮＳバス３０を介して、ＰＣＮＳ制御装置３２から送信されてくる制御信号（後述）を受信し、それを記憶する。ＡＶリモートコントローラ３１−１は、９Ｐケーブル２００−１を介して、リモートコントローラ２１−１からチャンネルの番号が供給される。
【００３６】
ＡＶリモートコントローラ３１−１は、ＡＶリモートコントローラコントロールパネル（以下、ＡＶリモートコントローラＣＰと略称する）３１Ａ−１がユーザにより操作され、調整条件（調整項目とその調整値）が設定されると、記憶している、ＰＣＮＳ制御装置３２からの制御信号により設定されている調整条件と、設定された調整条件とを比較し、それらが異なる場合、モニタセレクタ２１−１から供給されたチャンネルの番号と設定された調整条件に基づいて、制御信号を生成し、ＰＣＮＳバス３０を介して、ＰＣＮＳ制御装置３２に出力する。
【００３７】
なお、この例の場合、ＡＶリモートコントローラ３１−１とＰＣＮＳ制御装置３２との通信は、ＡＶリモートコントローラ３１−１がスレーブとされ、ＰＣＮＳ制御装置３２がホストとされるポーリングに基づいて行われるので、ＡＶリモートコントローラ３１−１は、ＰＣＮＳ制御装置３２により送信が許可された後、生成した制御信号をＰＣＮＳ制御装置３２に出力する。
【００３８】
図４は、ＡＶリモートコントローラＣＰ３１Ａの例を表している。この例の場合、ＡＶリモートコントローラＣＰ３１Ａにおいて、１チャンネル分の番組のビデオ信号と、４チャンネル分の番組のオーディオ信号とが調整される。４個の調整ボタンＣ−１乃至Ｃ−４は、ビデオ信号を調整するときに選択されるボタンで、ユーザは、それらのボタンを選択し、ボリュームダイヤルＴを操作することにより、調整値を設定する。
【００３９】
ユーザは、調整ボタンＣ−１を選択することで、図５（Ａ）に示すように、ビデオ信号のゲインを-20IRE乃至+20IREの範囲内で調整することができる。同様に、ユーザは、調整ボタンＣ−２を選択することで、クロマ信号のゲインを-30%乃至+30%の範囲内で調整し、調整ボタンＣ−３を選択することで、オフセットを-7.5IRE乃至+7.5IREの範囲内で調整し、調整ボタンＣ−４を選択することで、色相を-20deg乃至+20degの範囲内で調整することができる。それぞれの調整値は、表示部Ｄ−１に、パーセント表示(-100%乃至+100%)またはヘキサ表示(00h乃至FFh）される。なお、図５（Ｂ）には、ビデオ信号のゲイン、クロマ信号のゲイン、オフセット、色相の初期値、および表示部Ｄ−１におけるパーセント表示の場合の表示例（０００％）とヘキサ表示の場合の表示例（80h）が示されている。
【００４０】
調整ボタンＣ−４の右側に配置されている、４個の調整ボタンＣ−５乃至Ｃ−８は、オーディオ信号のレベルを調整するときに選択されるボタンで、ユーザは、それらのボタンを選択し、ボリュームダイヤルＴを操作することで、図６（Ａ）の”Ｃ−５”乃至”Ｃ−８”の欄に示すように、-6dB乃至+6dBの範囲内で、対応する４つのチャンネルＣＨ１乃至ＣＨ４の番組のオーディオ信号のレベルを調整することができる。それぞれの調整値は、表示部Ｄ−２に、パーセント表示(-100%乃至+100%)またはヘキサ表示(00h乃至FFh）される。図６（Ｂ）の”Ｃ−５”乃至”Ｃ−８”の欄には、オーディオ信号のレベルの初期値、および表示部Ｄ−２におけるパーセント表示の場合の表示例(000%)とヘキサ表示の場合の表示例(80h)が示されている。
【００４１】
調整ボタンＣ−８の右側に配置されている、４個の調整ボタンＣ−９乃至Ｃ−１２は、オーディオ信号のフェーズを調整するときに選択されるボタンで、ユーザは、それらのボタンを選択し、ボリュームダイヤルＴを操作することにより、図６（Ａ）の”Ｃ−９”、”Ｃ−１０”、”Ｃ−１１”、および”Ｃ−１２”の欄に示すように、対応する番組のオーディオ信号の正位相のフェーズを調整することができる。
【００４２】
ユーザはまた、設定ボタンＳ−１を操作することにより、図６（Ａ）の”ＲP−１”、”ＲP−２”、ＲP−３”、および”ＲP−４”の欄に示すように、対応する番組のオーディオ信号の負位相のフェーズを調整することができる。このときの設定の切換は、トグル動作により行われる。なお、それぞれの調整値は、表示部Ｄ−３に表示される。図６（Ｂ）の”Ｃ−９”、”Ｃ−１０”、”Ｃ−１１”、および”Ｃ−１２”の欄には、オーディオ信号のフェーズの初期設定、および表示部Ｄ−３における、パーセント表示の場合とヘキサ表示の場合の表示例が示されている。
【００４３】
調整ボタンＣ−１３は、オーディオ信号のディレイを調整するときに選択されるボタンで、ユーザは、それを選択し、ボリュームダイヤルＴを操作することにより、図６（Ａ）の”Ｃ−１３”の欄に示すように、０フィールド乃至１５フィールドの範囲内で、ディレイを調整することができる。その調整値は、表示部Ｄ−４Ｄに表示される。図６（Ｂ）の”Ｃ−１３”の欄には、オーディオ信号のディレイの初期値と、表示部Ｄ−４Ｄにおける、パーセント表示の場合とヘキサ表示の場合の表示例が示されている。
【００４４】
調整ボタンＣ−１４は、選択された番組のビデオ信号の状態を表示させるためのボタンである。調整ボタンＣ−１４が選択されると、ビデオ信号の状態に応じて、例えば、図７（Ａ）に示すような表示が、表示部Ｄ−４に表示される。図７（Ａ）には、表示の内容の説明と、表示に対応するヘキサデータが示されている。
【００４５】
また、調整ボタンＣ−１５は、選択された番組のオーディオ信号の状態を表示させるためのボタンでる。調整ボタンＣ−１６は、全ての調整値を初期値に設定するとき、操作されるボタンである。調整ボタンＣ−１５または調整ボタンＣ−１６が操作されると、図７に示すような表示が、表示部Ｄ−４に表示される。図７には、表示部Ｄ−４における表示例の他に、表示の内容と、表示に対応するヘキサデータが表示されている。
【００４６】
調整ボタンＣ−１６は、全ての調整値を初期値に設定するとき、操作されるボタンである。表示部Ｄ−４には、選択されているチャンネルの番号が表示される。
【００４７】
設定ボタンＳ−２は、選択された調整項目に初期値を設定するときに操作され、設定ボタンＳ−３は、このＡＶリモートコントローラＣＰ３１Ａ−１を使用不能にするとき選択され、設定ボタンＳ−４は、選択されたチャンネルに対する調整を不能にするときに選択される。
【００４８】
ＡＶリモートコントローラ３１−２乃至３１−Ｎは、ＡＶリモートコントローラ３１−１と同様の構成を有するので、その説明は省略する。
【００４９】
図２に戻り、ＰＣＮＳ制御装置３２は、ＡＶリモートコントローラ３１に、送信要求の有無を定期的に問い合わせ、送信要求がある場合、他に急いで処理すべき事項がないときは、ＡＶリモートコントローラ３１に送信許可を与える。これにより、ＡＶリモートコントローラ３１から制御信号（調整条件）が送信されるが、ＰＣＮＳ制御装置３２は、それを受信し、記憶するとともに、ＰＣＮＳバス３０に出力する。
【００５０】
ＡＶ調整装置３３には、番組供給業者から供給される番組（ビデオ信号およぼオーディオ信号）が入力されるようになされている。ＡＶ調整装置３３は、例えば、DIPスイッチのように、操作されることより、アドレスを設定することができるスイッチ（図示せず）を有しており、ＰＣＮＳバス３０を介して送信されてくるＰＣＮＳ制御装置３２からの制御信号が、その設定されたアドレス宛の場合、それを取得する。そして、ＡＶ調整装置３３は、入力されるビデオ信号とオーディオ信号に対して、取得した制御信号に基づいた調整を施し、ビデオ信号をビデオルータ２２に、またオーディオ信号をオーディオルータ２３に、それぞれ出力する。
【００５１】
次に、モニタセレクタ２１乃至スピーカ２７の動作について説明する。ユーザが、例えば、モニタセレクタ２１−１の、図３に示したモニタセレクタＣＰ２１Ａ−１のチャンネルボタンＭCを操作し、所定のチャンネルＰの番組の映像と音声を共にモニタリングする設定をすると、モニタセレクタ２１−１は、設定されたチャンネルＰの番号を、９Ｐケーブル２００−１を介して、ＡＶリモートコントローラ３１−１に供給するとともに、ビデオルータ２２およびオーディオルータ２３を制御するための制御信号を生成し、ルータバス２０を介して、モニタセレクタ制御装置２４に出力する。
【００５２】
モニタセレクタ制御装置２４は、モニタセレクタ２１−１からのチャンネルＰの番号を、内蔵するメモリに記憶するとともに、それを読み出し、ビデオルータ２２およびオーディオルータ２３に、ルータバス２０を介して出力する。
【００５３】
ビデオルータ２２は、モニタセレクタ制御装置２４からの制御信号により指定されたチャンネルＰの番組を調整する、ＡＶ調整装置３３−ｉ（ｉ＝１，２，３，・・・，Ｌ）から出力されるビデオ信号が、モニタ２６−１に供給されるようにルーティング処理を実行する。オーディオルータ２３は、制御信号により指定されたＡＶ調整装置３３−ｉから出力されるオーディオ信号が、スピーカ２７−１に供給されるようにルーティング処理を実行する。これにより、モニタ２６−１には、チャンネルＰの番組の映像が表示され、スピーカ２７−１からは、チャンネルＰの番組の音声が出力される。
【００５４】
このように、モニタセレクタ２１乃至スピーカ２７の動作により、選択されたチャンネルＰの番組がモニタリングされる。
【００５５】
次に、ＡＶリモートコントローラ３１乃至ＡＶ調整装置３３の動作について説明するが、はじめに、ＡＶリモートコントローラ３１、ＰＣＮＳ制御装置３２、ＡＶ調整装置３３の構成例を説明する。
【００５６】
ＡＶリモートコントローラ３１−１の構成例は、図８に示されている。フラッシュROM４２には、CPU４１が実行する各種のプログラム、ＡＶリモートコントローラ３１−１のID、および調整項目（調整ボタンＣにより選択できる調整項目）の初期値の他、チャンネル番号に対応するＰＣＮＳ制御装置３２の不揮発性RAM８４（図１１）上の所定のアドレスが記憶されている。RAM４３には、CPU４１が各種の処理を実行する上において必要な各種のデータが適宜記憶される他、ＰＣＮＳ制御装置３２からの制御信号が記憶される。
【００５７】
操作部４４は、図４に示したＡＶリモートコントローラＣＰ３１Ａ−１の設定ボタンＳ−１乃至Ｓ−４、調整ボタンＣ−１乃至Ｃ−１６、およびボリュームダイヤルＴなどからなり、ユーザによりそれらが操作されると、その操作に対応する指令を、CPU４１に出力する。
【００５８】
表示部４５は、図４に示したＡＶリモートコントローラＣＰ３１Ａ−１の表示部Ｄ−１乃至Ｄ−５を有し、それらに所定の英数文字を表示する。表示部４５はまた、設定ボタンＳ−１乃至Ｓ−４を点灯させることができる、図９に示すような構成、および調整ボタンＣ−１乃至Ｃ−１６を点灯させることができる、図１０に示すような構成を有している。
【００５９】
図９は、操作部４４の設定ボタンＳ−４に対応する、表示部４５の部分の構成例を表している。デコーダ５０は、CPU４１からの指令をデコードし、ドライバ５１に出力する。ドライバ５１は、デコーダ５０からの信号に従って、LED５２に供給する出力をＨまたはＬに切り換える。LED５２は、一方の端子が、５Ｖ電圧電源に接続され、他方の端子が、ドライバ５１に接続されており、ドライバ５１からの出力がＬのとき、発光する。例えば、LED５２が発光すると、ＡＶリモートコントローラＣＰ３１Ａ−１の設定ボタンＳ−４の中央に設けられた窓Ｗが光る。ユーザは、窓の点滅を確認し、設定ボタンＳ−４が適切に操作されたか否かを確認することができる。なお、操作部４４の設定ボタンＳ−２乃至Ｓ−４に対応する表示部４５の部分においても、設定ボタンＳ−１に対応する表示部４５の部分と同様の構成を有しているので、その図示と説明は省略する。
【００６０】
図１０は、操作部４４の調整ボタンＣ−１に対応する部分の表示部４５の構成例を表している。設定ボタンＳ−１乃至Ｓ−４に対応する部分の表示部４５と同一のデコーダ５０は、ドライバ６１に接続されており、CPU４１からの指令をデコードし、ドライバ６１に出力する。ドライバ６１は、緑色の光を発光するLED６２と、オレンジ（アンバ）色の光を発光するLED６３のそれぞれのカソードに接続されている。LED６２およびLED６３のそれぞれのアノードは、５Ｖ電圧電源に接続されている。
【００６１】
ドライバ６１のラッチ７１は、ＮＰＮトランジスタ７２のベースに接続されている。トランジスタ７２のエミッタは、接地されている。また、そのコレクタは、抵抗７４を介して５Ｖ電圧電源に接続されているとともに、抵抗７５を介して、LED６２のカソードに接続されている。ＮＰＮトランジスタ７３のベースは、トランジスタ７２のコレクタに接続されている。またトランジスタ７３のエミッタは接地されており、そのコレクタは、抵抗７６を介して、LED６３のカソードに接続されている。
【００６２】
図８の通信部４６は、例えば、SIO(Serial I/O Interface)を有しており、それが接続されているＰＣＮＳバス３０を介して、信号を出力したり、信号を受信する。また通信部４６は、ＲＳ−４２２Ｃを有しており、それが接続されている９Ｐケーブル２００−１を介して、例えば、モニタセレクタ２１−１から、チャンネルの番号を受信する。インタフェース４７は、入力部４４乃至通信部４６とCPU４１との間に配置され、インタフェース処理を実行する。
【００６３】
ＡＶリモートコントローラ３１−２乃至３１−Ｎも、ＡＶリモートコントローラ３１−１の同様の構成を有しているので、その図示と説明は省略する。
【００６４】
図１１は、ＰＣＮＳ制御装置３２の構成例を示している。CPU８１は、フラッシュROM８２に記憶されている各種のプログラムに従って、各種の処理を実行する。RAM８３には、CPU８１が各種の処理を実行する上において必要な各種のデータが適宜記憶される。不揮発性RAM８４は、例えば、図１２に示すように、ＡＶ調整装置３３−１乃至３３−Ｌのそれぞれに対応するメモリ領域が設けられており、ＡＶリモートコントローラ３１からの制御信号に設定された調整条件や設定条件（後述）が、対応するメモリ領域に記憶される。例えば、各メモリ領域の先頭アドレスが、チャンネル番号に対応して、ＡＶリモートコントローラ３１のフラッシュメモリ４２に記憶されている。
【００６５】
入力部８５は、CPU８１に所定の指令を入力するときユーザにより適宜操作される。表示部８６は、所定の文字、または画像を表示する。通信部８７は、例えば、SIOで構成されており、それが接続されているＰＣＮＳバス３０に信号を出力したり、信号を受信する。インタフェース８８は、入力部８５乃至通信部８７とCPU８１との間に配置され、インタフェース処理を実行する。
【００６６】
図１３は、ＡＶ調整装置３３−１の構成例を表している。バスインタフェース９２は、ＰＣＮＳバス３０に接続されており、ＰＣＮＳバス３０を介して、データを受信したり、データを出力する。アドレス設定部９３は、例えば、DIPスイッチで構成され、ＡＶ調整装置３３−１のアドレスが設定される。ＡＶ調整部９４は、番組供給業者から入力されるビデオ信号またはオーディオ信号に対し、所定の調整を施し、ビデオ信号をビデオルータ２２に、そしてオーディオ信号をオーディオ信号２３に出力する。
【００６７】
制御部９１は、CPUおよびメモリから構成されており、バスインタフェース９２乃至ＡＶ調整部９４を制御し、各種の処理を実行する。例えば、制御部９１は、ＰＣＮＳバス３０を介して伝送されてくる制御信号が、アドレス設定部９３に設定されているアドレス宛であるとき、バスインタフェース９１を制御し、それを受信させる。また、制御部９１は、受信させた制御信号から、調整条件を抽出し、それを記憶するとともに、その調整条件に基づいて、ＡＶ調整部９４を制御する。
【００６８】
ＡＶ調整装置３３−２乃至３１−Ｌも、ＡＶ調整装置３３−１の同様の構成を有しているので、その図示と説明は省略する。
【００６９】
ＡＶリモートコントローラ３１、ＰＣＮＳ制御装置３２、およびＡＶ調整装置３３はこのように構成される。次に、これらの動作について説明する。
【００７０】
ＡＶリモートコントローラ３１−１のCPU４１は、通信部４６を介して、モニタセレクタ２１−１から出力されたチャンネルＰの番号を受信し、また、ユーザによるＡＶリモートコントローラＣＰ３１Ａ−１の操作に対応した指令が、操作部４４から入力されると、はじめに、フラッシュROM４２から、受信したチャンネルＰの番号に対応するＡＶ調整装置３３−ｉの制御データが記憶される、ＰＣＮＳ制御装置３２の不揮発性RAM８４上のメモリ領域のアドレス（例えば、メモリ領域の先頭アドレス）（以下、メモリ領域アドレスと略称する）を読み出す。そして、CPU４１は、読み出したメモリ領域アドレス、およびフラッシュROM４２に記憶されているＡＶリモートコントローラ３１−１のIDの他、調整ボタンＣが操作され、調整条件が設定された場合、その調整条件を含む制御信号を生成し、また、設定ボタンＳが操作された場合、操作された設定ボタンＳに対応した設定条件を含む制御信号を生成する。
【００７１】
なお、この例の場合、ここで生成される制御信号は、ビデオ信号の調整のための１０バイトと、オーディオ信号の調整のための１０バイトの合計２０バイトのデータで構成される。また、設定ボタンＳ−４が操作された場合の制御信号生成処理の詳細は、後述する。
【００７２】
また、モニタセレクタ２１からチャンネルの番号が供給されるとき、または調整ボタンＣや設定ボタンＳが操作されるとき、調整ボタンＣや設定ボタンＳが点灯される処理が実行されるが、その処理手順は、後述する。
【００７３】
ＡＶリモートコントローラ３１−１のCPU４１は、ＰＣＮＳ制御装置３２により送信が許可された後、生成した制御信号を、ＰＣＮＳバス３０を介して、ＰＣＮＳ制御装置３２に出力する。
【００７４】
ＰＣＮＳ制御装置３２のCPU８１は、通信部８７を制御し、ＡＶリモートコントローラ３１−１から送信されてくる制御信号を受信させると、制御信号から調整条件や設定条件などを抽出し、それを、不揮発性RAM８４の、制御信号に設定されているメモリ領域アドレスに対応するメモリ領域に記憶させる。ＰＣＮＳ制御装置３２は、このように、ＡＶリモートコントローラ３１から制御信号を受信すると、このとき、不揮発性RAM８４に記憶した調整条件や設定条件を、直ちに読み出し、ＡＶ調整装置３３−ｉのアドレスを付加して、制御信号を生成し、それを、通信部８７を制御し、ＰＣＮＳバス３０に出力させる。
【００７５】
ＰＣＮＳ制御装置３２はまた、一定の周期で、不揮発性RAM８２に記憶されている、調整条件または設定条件を読み出し、対応するＡＶ調整装置３３−ｉのアドレスを付加して、制御信号を生成し、ＰＣＮＳバス３０に出力する。
【００７６】
ＡＶ調整装置３３−ｉの制御部９１は、バスインタフェース９２を制御し、ＰＣＮＳバス３０を介して送信されてくる、ＡＶ調整装置３３−ｉ宛の制御信号を受信させる。制御部９１は、受信させた制御信号から調整条件を抽出し、記憶するとともに、ＡＶ調整部９４に供給する。ＡＶ調整部９４は、制御部９１から供給された調整条件に基づいて、入力されるチャンネルＰの番組のビデオ信号またはオーディオ信号に対して、調整を施し、出力する。すなわち、ＡＶ調整装置３３−ｉからは、調整条件が変更されるまで、現在、制御部９１に記憶されている調整条件に基づいて調整されたビデオ信号またはオーディオ信号が出力される。
【００７７】
ＡＶ調整装置３３−ｉのＡＶ調整部９４からのビデオ信号は、ビデオルータ２２により、モニタ２６−１に供給されるようにルーティングされているので、モニタ２６−１には、チャンネルＰの番組の調整された映像が表示される。また、ＡＶ調整装置３３−ｉのＡＶ調整部９４からのオーディオ信号は、オーディオルータ２３により，スピーカ２７−１に供給されるようにルーティングされているので、スピーカ２７−１からは、チャンネルＰの番組の調整された音声が出力される。
【００７８】
また、ＰＣＮＳ制御装置３２によりＰＣＮＳバス３０に出力されたＡＶリモートコントローラ３１−１からの制御信号（ＡＶ調整装置３３−ｉ宛の制御信号）は、ＡＶリモートコントローラ３１−１の他、ＡＶリモートコントローラ３１−２乃至３１−Ｎにより受信され、それぞれのRAM４３に記憶される。これにより、各チャンネルに設定されている調整条件や設定条件などを、各ＡＶリモートコントローラ３１が把握することができ、後述する、所定のチャンネルの番組の調整を禁止する処理が可能となる。
【００７９】
次に、調整ボタンＣが点灯される場合のＡＶリモートコントローラ３１の処理手順を、図１４のフローチャートを参照して説明する。例えば、ＡＶリモートコントローラ３１−１において、選択されたチャンネルＰの番号がモニタセレクタ２１−１から供給され、ＡＶリモートコントローラＣＰ３１Ａ−１の表示部Ｄ−５に表示されている状態において、ＡＶリモートコントローラ３１−１のCPU４１は、ステップＳ１で、調整ボタンＣ−ｉが選択され、ボリュームダイヤルＴが操作されて、調整条件（調整項目と調整値）が設定されたか否かを判定し、調整条件が設定された場合、ステップＳ２に進み、設定された調整条件から調整値を抽出する。
【００８０】
次に、ステップＳ３において、CPU４１は、ステップＳ１で設定された調整条件の調整項目の初期値を、フラッシュROM４２から読み出す。ステップＳ４において、CPU４１は、ステップＳ２で抽出した調整値と、ステップＳ３で読み出した初期値が等しいか否かを判定し、調整値と初期値が等しいと判定した場合、ステップＳ５に進み、調整ボタンＣ−ｉを緑色に点灯させるための処理を実行させる。
【００８１】
なお、調整ボタンＣ−ｉに対応する表示部４５の部分（図示せず）は、図１０に示した調整ボタンＣ−１に対応する表示部４５の部分と同様の構成を有するので、以下では、調整ボタンＣ−ｉに対応する表示部４５の部分において、調整ボタンＣ−１に対応する表示部４５の部分と対応する要素には、対応する番号の数枝に、それぞれ、−ｉを付して表す。
【００８２】
ここで、調整ボタンＣ−ｉを緑色に点灯させるための処理を説明する。CPU４１は、図１０のLED６２に対応するLED６２−ｉを発光させる指令を、インタフェース４７を介して、表示部４５のデコーダ５０に出力する。デコーダ５０は、CPU４１からの指令を受信すると、それをデコードし、ドライバ６１−ｉに出力する。デコーダ５０から出力された信号に基づいて、ドライバ６１−ｉのラッチ７１−ｉの出力がＨとされる。これにより、トランジスタ７２−ｉがオンされ、LED６２−ｉに電流が流れ、LED６２−ｉが発光する。このとき、トランジスタ７３−ｉのベースは低電位とされている（トランジスタ７２を介して接地されている）ので、トランジスタ７３−ｉはオフされている。その結果、LED６３−ｉには、電流が流れないので、LED６３−ｉは、発光されない。
【００８３】
このようにして、LED６２−ｉが発光されると、調整ボタンＣ−ｉは、緑色に点灯する。
【００８４】
ステップＳ４において、調整値と初期値が異なると判定された場合、ステップＳ６に進み、調整ボタンＣ−ｉを、オレンジ色に点灯させるための処理が実行される。
【００８５】
ここで、調整ボタンＣ−ｉをオレンジ（アンバ）色に点灯させるための処理を説明する。CPU４１は、LED６３−ｉを発光させる指令を、インタフェース４７を介して、表示部４５のデコーダ５０に出力する。デコーダ５０は、CPU４１からの指令を受信すると、それをデコードし、ドライバ６１−ｉに出力する。デコーダ５０から出力された信号に基づいて、ドライバ６１−ｉのラッチ７１−ｉの出力がＬとされる。これにより、トランジスタ７２−ｉがオフされると、トランジスタ７３−ｉのベースには、抵抗７４を介して高い電圧が印可され、トランジスタ７３−ｉがオンされる。その結果、LED６３−ｉに、電流が流れ、LED６３−ｉは、発光する。このとき、トランジスタ７２−ｉがオフされているので、LED６２−ｉには、電流が流れず、LED６２−ｉは、発光しない。
【００８６】
このようにして、LED６３−ｉが発光されると、調整ボタンＣ−ｉは、オレンジ色（アンバ）に点灯する。
【００８７】
ステップＳ１において、調整条件が設定されていないと判定した場合、CPU４１は、ステップＳ７に進み、RAM４３に記憶されている、１つの調整ボタンＣ−ｉ宛の制御信号から、それに設定されている調整値を抽出し、ステップＳ８において、その調整項目の初期値を、フラッシュROM４２から読み出す。
【００８８】
次に、ステップＳ９において、CPU４１は、ステップＳ７で抽出した調整値と、ステップＳ８で読み出した初期値が等しいか否かを判定し、調整値と初期値が等しいと判定した場合、ステップＳ１０に進み、またそれらが異なると判定した場合、ステップＳ１１に進む。
【００８９】
ステップＳ１０において、調整ボタンＣ−ｉを緑色に点灯させるための処理が実行される。ここでは、ステップＳ５における処理と同様の処理が実行されるので、その説明は省略する。また、ステップＳ１１において、調整ボタンＣ−ｉをオレンジ（アンバ）色に点灯させる処理が実行される。ここでは、ステップＳ６における処理と同様の処理が実行されるので、その説明は省略する。
【００９０】
ステップＳ１０およびステップＳ１１における処理の後、ステップＳ１２に進み、CPU４１は、全ての調整ボタンＣ−１乃至Ｃ−１６が、緑色またはオレンジ色に点灯されたか否かを判定し、まだ、点灯されていない調整ボタンＣが残ってる場合、ステップＳ７に戻り、次の、調整ボタンＣ−ｉ（ｉ＝ｉ＋１）に対応する表示部４５の部分に対して、それ以降の処理を、全ての調整ボタンＣが点灯するまで繰り返し実行する。
【００９１】
なお、この例の場合、LED６２またはLED６３のいずれかが、常に発光するようになされている。
【００９２】
図１５は、ドライバ６１の他の例を表している。この例においては、LED６２およびLED６３の発光強度を調整することができるようにするために、ラッチ１０１，１０２、ＮＰＮトランジスタ１０３，１０４、および抵抗１０５，１０６がさらに付加されている。ラッチ１０１は、トランジスタ１０３のベースに接続されている。トランジスタ１０３のエミッタは、接地されている。また、そのコレクタは、抵抗１０５を介して、LED６２のカソードに接続されている。ラッチ１０２は、トランジスタ１０４のベースに接続されている。トランジスタ１０４のエミッタは、接地されている。また、そのコレクタは、抵抗１０６を介して、LED６３のカソードに接続されている。
【００９３】
例えば、LED６２が発光している状態において（ラッチ７１の出力がＨとされ、トランジスタ７２がオンされている状態において）、ラッチ１０１の出力がＨとされ、トランジスタ１０３がオンされると、LED６２を流れる電流が、トランジスタ１０３に流れ出る電流分だけ増加するので、LED６２は、その増加した電流分だけより強く発光する。また、LED６３が発光している状態において（ラッチ７１の出力がＬとされ、トランジスタ７２がオフされ、トランジスタ７３がオンされている状態において）、ラッチ１０２の出力がＨとされ、トランジスタ１０４がオンされると、LED６３を流れる電流が、トランジスタ１０４に流れ出る電流分だけ増加するので、LED６３は、その増加した電流分だけより強く発光する。
【００９４】
このように、LED６２およびLED６３の発光強度を調整することができるようにしたので、例えば、全ての調整ボタンＣが緑色またはオレンジ（アンバ）色に点灯されている状態において（ステップＳ７乃至Ｓ１２）、調整ボタンＣ−ｉが操作されたとき（ステップＳ１）、その調整ボタンＣ−ｉをより強く点灯させ（ステップＳ３乃至Ｓ６）、調整ボタンＣ−ｉが選択されたことを、ユーザが認識しやすいようにすることができる。
【００９５】
次に、所定のチャンネルの番組の調整を禁止する場合の処理手順を、図１６のフローチャートを参照して説明する。
【００９６】
例えば、モニタセレクタ２１−１から出力されたチャンネルＰの番号が、９Ｐケーブル２００−１を介して受信され、チャンネルＰの番号が、ＡＶリモートコントローラＣＰ３１Ａ−１の表示部Ｄ−５に表示されている状態において、ＡＶリモートコントローラ３１−１のCPU４１は、ステップＳ２１において、ＡＶリモートコントローラＣＰ３１Ａ−１の調整ボタンＣが選択され、ボリュームボタンＴが操作されて、調整条件が設定されたか否かを判定し、設定されていない場合、ステップＳ２２に進み、設定ボタンＳ−４が操作されたか否かを判定する。
【００９７】
ステップＳ２２において、設定ボタンＳ−４が操作されなかったと判定された場合、ステップＳ２１に戻る。すなわち、CPU４１は、調整ボタンＣまたは設定ボタンＳ−４が操作されるまで待機する。ステップＳ２２において、設定ボタンＳ−４が操作されたと判定された場合、ステップＳ２３に進み、CPU４１は、チャンネルＰに対応するＡＶ調整装置３３−ｉのアドレス、フラッシュROM４２に記憶されているＡＶリモートコントローラ３１−１のID、および設定条件としてのＡＶ調整装置３３−ｉの制御を禁止する条件（制御禁止設定条件）からなる制御信号を生成する。なお、ＡＶリモートコントローラＣＰ３１Ａ−１の設定ボタンＳ−４が操作されると、その窓Ｗが点灯する。
【００９８】
次に、ステップＳ２４において、CPU４１は、通信部４６を制御し、ＰＣＮＳ制御装置３２により送信が許可された後、ＰＣＮＳバス３０を介して、ＰＣＮＳ制御装置３２に制御信号を出力させる。その後、処理は終了される。
【００９９】
このように生成され、ＰＣＮＳ制御装置３２に出力された、ＡＶ調整装置３３−ｉに対する制御禁止設定条件が設定された制御信号（ＡＶ調整装置３３−ｉ宛の制御信号）は、ＰＣＮＳ制御装置３２により、ＡＶリモートコントローラ３１−１乃至３１−Ｎの全てに供給され、そこで記憶される。
【０１００】
ステップＳ２１において、調整条件が設定されたと判定された場合、ステップＳ２５において、CPU４１は、RAM４３に、ＡＶ調整装置３３−ｉ宛の制御信号が記憶されているか否かを判定し、記憶されている場合、ステップＳ２６に進み、その制御信号に、制御禁止設定条件が設定されているか否かを判定する。
【０１０１】
ステップＳ２６において、RAM４３に記憶されているＡＶ調整装置３３−ｉ宛の制御信号に制御禁止設定条件が含まれていると判定された場合、ステップＳ２７に進み、CPU４１は、その制御信号に、自分（ＡＶリモートコントローラ３１−１）のIDが設定されているか否かを判定し、自分のIDが設定されていない場合、処理は終了される。すなわち、ＡＶ調整装置３３−ｉに対する制御信号が生成されないので、チャンネルＰの番組の調整が行われない。
【０１０２】
ステップＳ２５において、RAM４３に、ＡＶ調整装置３３−ｉ宛の制御信号が記憶されていないと判定された場合、ステップＳ２６において、RAM４３に記憶されているＡＶ調整装置３３−ｉ宛の制御信号に制御禁止情報が含まれていないと判定された場合、または、ステップ２７において、RAM４３に記憶されているＡＶ調整装置３３−ｉ宛の制御信号に自分のIDが設定されていると判定された場合、ステップＳ２８に進み、CPU４１は、ＡＶ調整装置３３−ｉのアドレス、および調整条件からなる制御信号を生成する。すなわち、ここで生成された制御信号には、制御禁止設定条件が設定されていない。
【０１０３】
ステップ２９において、CPU４１は、通信部４６を制御し、ＰＣＮＳ制御装置３２により送信が許可された後、ステップＳ２８で生成した制御信号を、ＰＣＮＳバス３０を介して、ＰＣＮＳ制御装置３２に出力させる。その後、処理は終了される。
【０１０４】
このようにして、ＡＶリモートコントローラＣＰ３１Ａ−１の設定ボタンＳ−４が操作されることで、選択されたチャンネルに対する調整を禁止するための制御信号を生成することができる（ステップＳ２２乃至Ｓ２３）。また、調整が禁止されたチャンネルに対応するＡＶ調整装置３３に対し、新たな調整条件が設定された制御信号が生成されないようになるので（ステップＳ２５乃至Ｓ２７）、そのチャンネルの番組の調整が行われない。すなわち、例えば、ユーザが、ＡＶリモートコントローラ３１−１のＡＶリモートコントローラＣＰ３１Ａ−１を操作し、調整条件を設定して（ステップＳ２８、２９）、チャンネルＰの番組が調整された後、設定ボタンＳ−４を操作することで、他のユーザが他のＡＶリモートコントローラ３１−２乃至３１−ＮのＡＶリモートコントローラＣＰを操作し、チャンネルＰに対して設定された調整条件を変更することを防止することができる。
【０１０５】
また、ユーザが、ＡＶリモートコントローラ３１−１のＡＶリモートコントローラＣＰ３１Ａ−１の設定ボタンＳ−４を操作し、チャンネルＰの調整を禁止するようにした状態の場合、そのＡＶリモートコントローラＣＰ３１Ａ−１の設定ボタンＳ−４を再度操作することで、チャンネルＰに対する調整の禁止の設定が解除される。
【０１０６】
以上のようにして、ＡＶリモートコントローラ３１は、モニタセレクタ２１から供給されたチャンネルＰの番号に基づいて、その番組を調整するＡＶ調整装置３３−ｉに対応するＰＣＮＳ制御装置３１の不揮発性RAM８４上のアドレスを設定した制御信号を、ＰＣＮＳ制御装置３２に送信し、ＰＣＮＳ制御装置３２が、それを、そのアドレスに対応したメモリ領域に記憶し、そしてＡＶ調整装置３３−ｉに供給するようにしたので、ＡＶリモートコントローラ３１およびＰＣＮＳ制御装置３２における処理を実行させるためのプログラムが簡単なものになり、その構成自体が簡単なものになる。また、例えば、ＡＶ調整装置３３のスイッチを操作して、アドレスを設定し、そのＡＶ調整装置３３に対応する、ＰＣＮＳ制御装置３２の不揮発性RAM８４に新たなメモリ領域を設定するだけで、ＡＶ調整装置３３を容易に増設することができる。
【０１０７】
なお、本明細書において、システムの用語は、複数の装置、手段などより構成される全体的な装置を意味するものとする。
【０１０８】
また、上記したような処理を行うコンピュータプログラムをユーザに提供する提供媒体としては、磁気ディスク、CD-ROM、固体メモリなどの記録媒体の他、ネットワーク、衛星などの通信媒体を利用することができる。
【図面の簡単な説明】
【０１０９】
【図１】本発明を適用したデジタル放送システムの構成例を表すブロック図である。
【図２】図１の番組素材提供システム１００の構成例を表すブロック図である。
【図３】図２のモニタセレクタＣＰ２１Ａ−１の例を表す図である。
【図４】図２のＡＶリモートコントローラＣＰ３１Ａ−１の例を表す図である。
【図５】ビデオ信号の調整項目を説明する図である。
【図６】オーディオ信号の調整項目を説明する図である。
【図７】表示部Ｄ−４の表示例を示す図である。
【図８】図２のＡＶリモートコントローラ３１−１の構成例を表す図である。
【図９】図８の操作部４４の設定ボタンＳ−４に対応する表示部４５の構成例を表す図である。
【図１０】図８の操作部４４の調整ボタンＣ−１に対応する表示部４５の構成例を表す図である。
【図１１】図２のＰＣＮＳ制御装置３２の構成例を表すブロック図である。
【図１２】図１１の不揮発性RAM８４のメモリ領域を説明する図である。
【図１３】図２のＡＶ調整装置３３−１の構成例を表すブロック図である。
【図１４】ＬＥＤ点灯処理を説明するフローチャートである。
【図１５】図８の操作部４４の調整ボタンＣ−１に対応する表示部４５の他の構成例を表す図である。
【図１６】番組の調整を禁止する処理を説明するフローチャートである。
【図１７】従来のデジタル放送システムの構成例を表すブロック図である。
【図１８】図１７の番組素材提供システム５の構成例を表すブロック図である。
【符号の説明】
【０１１０】
１  放送番組編成システム，  ２  顧客管理システム，  ３  顧客視聴許可システム，  ４  EPGシステム，  ５  番組素材提供システム，  ６  サーバシステム，  ７  ルーティングシステム，  ８  エンコーディングシステム，  ９  マルチプレクサシステム，  １０  コントロールユニット，  １１  変調回路，  １２  LAN，    ２０  ルータバス，  ２１  モニタセレクタ，  ２２  ビデオルータ，  ２３  オーディオルータ，  ２４  モニタセレクタ制御装置，  ２５  アウトプットコントローラ，  ２６  モニタ，  ２７  スピーカ，  ３０  ＰＣＮＳバス，  ３１  ＡＶリモートコントローラ，  ３２  ＰＣＮＳ制御装置，  ３３  ＡＶ調整装置，  ５０  デコーダ，  ６１  ドライバ，  ６２  LED，  ６３  LED，  １００  番組素材提供システム
【図１】
2008278527.tif 000003
【図２】
2008278527.tif 000004
【図３】
2008278527.tif 000005
【図４】
2008278527.tif 000006
【図５】
2008278527.tif 000007
【図６】
2008278527.tif 000008
【図７】
2008278527.tif 000009
【図８】
2008278527.tif 000010
【図９】
2008278527.tif 000011
【図１０】
2008278527.tif 000012
【図１１】
2008278527.tif 000013
【図１２】
2008278527.tif 000014
【図１３】
2008278527.tif 000015
【図１４】
2008278527.tif 000016
【図１５】
2008278527.tif 000017
【図１６】
2008278527.tif 000018
【図１７】
2008278527.tif 000019
【図１８】
2008278527.tif 000020
【手続補正書】
【提出日】平成20年7月16日(2008.7.16)
【手続補正１】
【補正対象書類名】特許請求の範囲
【補正対象項目名】全文
【補正方法】変更
【補正の内容】
【特許請求の範囲】
【請求項１】
バスに接続されたリモート制御手段と、
前記バスに接続され、前記リモート制御手段からの制御信号に基づく条件信号を供給する供給手段と、
前記バスに接続され、前記供給手段から供給された前記条件信号を取得すると共に、入力されるビデオ信号またはオーディオ信号に対して前記条件信号に基づく調整を施す調整手段と
を有し、
前記制御信号に含まれる条件は、前記制御信号を出力した前記リモート制御手段以外の前記バスに接続されているリモート制御手段に把握される
ことを特徴とする情報処理システム。
【請求項２】
前記供給手段は、前記制御信号に基づき前記調整手段の制御を禁止するための前記条件信号を、前記制御信号を出力した前記リモート制御手段以外のリモート制御手段に供給する
ことを特徴とする請求項１記載の情報処理システム。
【手続補正３】
【補正対象書類名】明細書
【補正対象項目名】０００１
【補正方法】変更
【補正の内容】
【０００１】
本発明は、情報処理システムに関し、特に、効率よく、信号を調整することができるようにした情報処理システムに関する。
【手続補正４】
【補正対象書類名】明細書
【補正対象項目名】００２２
【補正方法】変更
【補正の内容】
【００２２】
本発明の一側面の情報処理システムは、バスに接続されたリモート制御手段と、前記バスに接続され、前記リモート制御手段からの制御信号に基づく条件信号を供給する供給手段と、前記バスに接続され、前記供給手段から供給された前記条件信号を取得すると共に、入力されるビデオ信号またはオーディオ信号に対して前記条件信号に基づく調整を施す調整手段とを有し、前記制御信号に含まれる条件は、前記制御信号を出力した前記リモート制御手段以外の前記バスに接続されているリモート制御手段に把握されることを特徴とする。
【手続補正５】
【補正対象書類名】明細書
【補正対象項目名】００２３
【補正方法】変更
【補正の内容】
【００２３】
前記供給手段には、前記制御信号に基づき前記調整手段の制御を禁止するための前記条件信号を、前記制御信号を出力した前記リモート制御手段以外のリモート制御手段に供給させることができる。
【手続補正６】
【補正対象書類名】明細書
【補正対象項目名】００２４
【補正方法】変更
【補正の内容】
【００２４】
本発明の一側面においては、バスに接続されたリモート制御手段からの制御信号に基づく条件信号が、供給手段により供給され、供給手段から供給された条件信号に基づく調整が、入力されるビデオ信号またはオーディオ信号に対して施される。また、制御信号に含まれる条件は、制御信号を出力したリモート制御手段以外のバスに接続されているリモート制御手段に把握される。
【手続補正７】
【補正対象書類名】明細書
【補正対象項目名】００２５
【補正方法】変更
【補正の内容】
【００２５】
本発明の一側面によれば、簡単な構成で、かつ、増設が容易なシステムを実現することができる。